(57)【要約】【課題】商用電力を使用していないときに、発生する商用電源との接続状態を監視する。【解決手段】第２のモードから第１のモードへの遷移のとき、それまで、商用電源１４の電力が不要であったため、コンセント１８が電源プレート１６から抜け落ちている、或いは、意図的にコンセント１８を抜いたまま忘れている、等の状況の下では、商用電源１４からの電力の供給ができない。そこで、電力切替コントローラ１２において、第２のモードから第１のモードへの遷移動作後、正常であれば、商用電源１４の電圧がＬＶＰＳ１、２の一次側に入力され、二次側に必要な電圧値（例えば、５Ｖ）が出力されることに着目し、当該電力切替コントローラ１２で、ＬＶＰＳ１、２の二次側の出力電圧を監視するようにした。この監視により、正常な電圧が検出されない場合、異常報知を行って、ユーザーにコンセント抜け等の不具合が生じていないか、並びに、当該不具合を解消を促す。【選択図】図４
2011205787.tif 000002
【特許請求の範囲】
【請求項１】
商用電源から電力の供給を受けて全稼働状態となる第１のモード、商用電源以外から電力の供給を受けて少なくとも処理の受付を許可し必要最小限の稼動状態となる第２のモードの何れかを選択する選択手段と、
前記選択手段で選択されたモードで電力を供給する電力供給手段と、
前記第２のモードから第１のモードへ遷移するときに、前記商用電源から電力供給が正常に再開されたか否かを判定する判定手段と、
前記判定手段の判定の結果を報知する判定結果報知手段と、
を有する電力供給制御装置。
【請求項２】
商用電源から電力の供給を受けて全稼働状態となる第１のモード、商用電源以外から電力の供給を受けて少なくとも処理の受付を許可し必要最小限の稼動状態となる第２のモードの何れかを選択する選択手段と、
前記選択手段で選択されたモードで電力を供給する電力供給手段と、
前記商用電源から電力の供給を受けるための電気接続部の状態を監視する監視手段と、
前記第２のモード中において、前記監視手段の監視情報を報知する監視情報報知手段と、
を有する電力供給制御装置。
【請求項３】
前記電気接続部が、商用電源を装置内へ引き込むコンセントプラグであり、前記監視手段が、このコンセントプラグよりも装置側の配線に設けられ、当該配線を流れる電流又は電圧を検出する検出手段を備える請求項２記載の電力供給制御装置。
【請求項４】
前記商用電源以外からの電力が蓄電デバイスからの電力であり、当該蓄電デバイスには、少なくとも装置に取り付けられた太陽電池充電デバイス、回生エネルギー充電デバイスの何れか一方を含むエネルギー創出手段から電力が供給されて充電される請求項１〜請求項３の何れか１項記載の電力供給制御装置。
【請求項５】
前記請求項１〜請求項４の何れか１項記載の電力供給制御装置を備え、前記処理を実行するデバイスとして、原稿画像を読み取る画像読取手段と、画像データに基づいて記録用紙へ画像を形成する画像形成手段と、外部と画像を送受信するファクシミリ通信手段と、を有する画像処理装置。
【請求項６】
コンピュータを、前記請求項１〜請求項４の何れか１項記載の電力供給制御装置として実行させる電力供給制御プログラム。
【発明の詳細な説明】
【技術分野】
【０００１】
本発明は、電力供給制御装置、画像処理装置、電力供給制御プログラムに関する。
【背景技術】
【０００２】
複合機等の画像処理装置では、太陽電池による電源を省エネルギーモードに利用することが提案されている。
【０００３】
特許文献１には、省エネルギーモード時に商用電源電圧を入力源として本体回路部の電源電圧を供給する主電源をオフして、太陽電池回路による電源を本体回路に供給することで、省エネルギー化を図ることが記載されている。
【０００４】
特許文献２には、ホスト電源検出手段によりホストがオフ時に、省エネルギーモードを移行して、その場合にエンジン負荷等に供給する主電源（２４Ｖ、±１２Ｖ等）を供給停止し、待機電源でホスト電源検出手段／省エネ制御手段のみに電源供給を行うことが記載されている。また、この特許文献２では、待機電源を太陽電池と二次電池さらに省電力電源で構成して、省エネルギーモード時に太陽電池→二次電池→省電力電源の優先順位で使用することで省エネルギー化を図っている。
【先行技術文献】
【特許文献】
【０００５】
【特許文献１】特開２００２−７８１９６公報
【特許文献２】特開２００２−６３０１１公報
【発明の概要】
【発明が解決しようとする課題】
【０００６】
本発明は、商用電力を使用していないときに、発生する商用電源との接続状態を監視することができる電力供給制御装置、画像処理装置、電力供給制御プログラムを得ることが目的である。
【課題を解決するための手段】
【０００７】
請求項１に記載の発明は、商用電源から電力の供給を受けて全稼働状態となる第１のモード、商用電源以外から電力の供給を受けて少なくとも処理の受付を許可し必要最小限の稼動状態となる第２のモードの何れかを選択する選択手段と、前記選択手段で選択されたモードで電力を供給する電力供給手段と、前記第２のモードから第１のモードへ遷移するときに、前記商用電源から電力供給が正常に再開されたか否かを判定する判定手段と、前記判定手段の判定の結果を報知する判定結果報知手段と、を有している。
【０００８】
請求項２に記載の発明は、商用電源から電力の供給を受けて全稼働状態となる第１のモード、商用電源以外から電力の供給を受けて少なくとも処理の受付を許可し必要最小限の稼動状態となる第２のモードの何れかを選択する選択手段と、前記選択手段で選択されたモードで電力を供給する電力供給手段と、前記商用電源から電力の供給を受けるための電気接続部の状態を監視する監視手段と、前記第２のモード中において、前記監視手段の監視情報を報知する監視情報報知手段と、を有している。
【０００９】
請求項３に記載の発明は、前記請求項２に記載の発明において、前記電気接続部が、商用電源を装置内へ引き込むコンセントプラグであり、前記監視手段が、このコンセントプラグよりも装置側の配線に設けられ、当該配線を流れる電流又は電圧を検出する検出手段を備える。
【００１０】
請求項４に記載の発明は、前記請求項１〜請求項３の何れか１項記載の発明において、前記商用電源以外からの電力が蓄電デバイスからの電力であり、当該蓄電デバイスには、少なくとも装置に取り付けられた太陽電池充電デバイス、回生エネルギー充電デバイスの何れか一方を含むエネルギー創出手段から電力が供給されて充電される。
【００１１】
請求項５に記載の発明は、前記請求項１〜請求項４の何れか１項記載の電力供給制御装置を備え、前記処理を実行するデバイスとして、原稿画像を読み取る画像読取手段と、画像データに基づいて記録用紙へ画像を形成する画像形成手段と、外部と画像を送受信するファクシミリ通信手段と、を有する画像処理装置である。
【００１２】
請求項６に記載の発明は、コンピュータを、前記請求項１〜請求項４の何れか１項記載の電力供給制御装置として実行させる電力供給制御プログラムである。
【発明の効果】
【００１３】
請求項１、請求項２、請求項５、請求項６記載の発明によれば、商用電力を使用していないときに、発生する商用電源との接続状態を監視することができる。
【００１４】
請求項３に記載の発明によれば、本構成を有しない場合に比べ、商用電源の供給状態を確実に監視することができる。
【００１５】
請求項４に記載の発明によれば、電力を生成して、蓄積することができる。
【図面の簡単な説明】
【００１６】
【図１】本実施の形態に係る画像処理装置の概略図である。
【図２】本実施の形態に係るメインコントローラと電源装置との概略構成図である。
【図３】本実施の形態に係る電力供給系を示すブロック図である。
【図４】本実施の形態に係る電力切替コントローラにおける、商用電源監視制御のための機能ブロック図である。
【図５】本実施の形態に係るメインコントローラにおける電力供給制御ルーチンを示すフローチャートである。
【図６】本実施の形態に係る電力切替コントローラにおける電力供給制御ルーチンを示すフローチャートである。
【図７】変形例に係る電力供給系を示すブロック図である。
【図８】変形例に係る電力切替コントローラにおける電力供給制御ルーチンを示すフローチャートである。
【発明を実施するための形態】
【００１７】
図１には、本実施の形態に係る画像処理装置１０が示されている。画像処理装置１０は、記録用紙に画像を形成する画像形成部２４０と、原稿画像を読み取る画像読取部２３８と、ファクシミリ通信制御回路２３６を備えている。画像処理装置１０は、メインコントローラ２００を備えており、画像形成部２４０、画像読取部２３８、ファクシミリ通信制御回路２３６を制御して、画像読取部２３８で読み取った原稿画像の画像データを一次的に記憶したり、読み取った画像データを画像形成部２４０又はファクシミリ通信制御回路２３６へ送出したりする。
【００１８】
メインコントローラ２００には図示しないインターネット等のネットワーク通信回線網が接続され、ファクシミリ通信制御回路２３６には図示しない電話回線網が接続されている。メインコントローラ２００は、例えば、ネットワーク通信回線網を介してホストコンピュータと接続され、画像データを受信したり、ファクシミリ通信制御回路２３６を介して電話回線網を用いてファクシミリ受信及びファクシミリ送信を実行する役目を有している。
【００１９】
画像形成部２４０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、顕像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００２０】
画像読取部２３８は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００２１】
（メインコントローラ２００）
図２は、前記メインコントローラ２００の概略構成図である。
【００２２】
図２に示される如く、メインコントローラ２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩ制御回路２１４を介してＵＩタッチパネル２１６が接続されている。また、Ｉ／Ｏ２１０には、ハードディスク（ＨＤＤ）２１８、節電ボタン２１９が接続されている。ＲＯＭ２０８やハードディスク２１８等に記録されているプログラムに基づいて、ＣＰＵ２０４が動作することによって、メインコントローラ２００の機能を実現する。なお、該プログラムを格納した記録媒体（ＣＤ−ＲＯＭ、ＤＶＤ−ＲＯＭ等）から該プログラムをインストールし、これに基づいてＣＰＵ２０４が動作することにより画像処理機能を実現してもよい。
【００２３】
なお、節電ボタン２１９は、所謂ハードスイッチ（物理的に操作するスイッチ）であり、押圧操作する毎に、装置に対して、節電、節電解除を交互に指示するようになっている。
【００２４】
本実施の形態のメインコントローラ２００は、画像処理デバイスに対して、待機モード、スリープモードを指示するようになっている。待機モードは電力供給状態であり、スリープモードは電力遮断状態である。また、本実施の形態では、メインコントローラ２００自体も、電力遮断状態となる場合がある（スリープ０状態）。
【００２５】
Ｉ／Ｏ２１０には、タイマ回路２２０、通信回線Ｉ／Ｆ２２２が接続されている。さらに、Ｉ／Ｏ２１０には、デバイス選択Ｉ／Ｆ２３４に接続されている。
【００２６】
デバイス選択Ｉ／Ｆ２３４は、ファクシミリ通信制御回路（モデム）２３６、画像読取部２３８、画像形成部２４０の各デバイスに接続されている。
【００２７】
なお、前記タイマ回路２２０は、前記ファクシミリ通信制御回路２３６、画像読取部２３８、画像形成部２４０を節電状態（電源非供給状態）とするための契機として、初期設定時間の計時を行うものである。
【００２８】
メインコントローラ２００及び各画像処理デバイス（ファクシミリ通信制御回路２３６、画像読取部２３８、画像形成部２４０）は、電力切替コントローラ１２（図３参照）から電源が供給される。
【００２９】
（電力供給系統）
図３には、本実施の形態の示される如く、メインコントローラ２００及び各画像処理デバイスへ電力を供給するためのシステム図が示されている。なお、図３では、電源線を１本の点線で示しているが、実際には２本〜３本の配線である。
【００３０】
画像処理装置１０は、図１に示すように壁面Ｗまで配線された商用電源１４の配線プレート１６にコンセント１８を差し込むことで電力の供給を受けるようになっている。
【００３１】
図３に示される如く、コンセント１８は、主電源スイッチ２０の一端部に接続されている。また、主電源スイッチ２０の他端部は、トライアック２２を介して、定着部電圧供給部２４、第１の低電圧供給部２６（以下、「ＬＶＰＳ１」という場合がある）、第２の低電圧供給部２８（以下、「ＬＶＰＳ２」という場合がある）にそれぞれ接続されている。定着部電圧供給部２８は、主として画像形成部２４０の定着部に適用されるヒータ（ハロゲンランプやＩＨヒータ等）の加熱に適用される。また、ＬＶＰＳ１は、主として、画像形成部２４０、画像読取部２３８、ファクシミリ（ＦＡＸ）通信制御回路２３６の動作系に適用される。さらに、ＬＶＰＳ２は、主としてメインコントローラ２００の電力源として適用される。
【００３２】
ここで、ＬＶＰＳ２は、直接メインコントローラ２００へ電力を供給する配線はなされておらず、電力切替コントローラ１２に接続されている。
【００３３】
この電力切替コントローラ１２には、蓄電デバイス３０が接続されている。すなわち、本実施の形態は、メインコントローラ２００へ商用電力を供給する第１のモードと、前記蓄電デバイス３０から電力を供給する第２のモードを設定している。
【００３４】
蓄電デバイス３０には、予め定められた電力量が蓄積されるようになっており、その電力源として、前記商用電源の電力他、内部電池３２からの電力、ソーラパネル３４による発電電力が供給され、充電される。なお、図示は省略したが、例えば、画像読取部２３８、画像形成部２４０で適用される駆動源（モータ等）の駆動軸に発電機を取り付けて発電させて蓄電デバイス３２を充電したり、当該モータ等の制動時の回生エネルギーを蓄電デバイスの電力源としてもよい。
【００３５】
例えば、蓄電デバイス３０には、７０％の電力を商用電源からの電力で充電し、残りの３０％を内部電池３２及びソーラパネル３４からの電力で充電するように設定されている。なお、この設定は一例であり、全て内部電池３２或いはソーラパネル３４で充電する設定であってもよい。
【００３６】
前記メインコントローラ２００では、処理（以下、「ジョブ」という場合がある）の受付が予め定めた時間連続してない場合、或いは、節電ボタン２１９が操作された場合、画像処理デバイス（画像形成部２４０、画像読取部２３８、ファクシミリ（ＦＡＸ）通信制御回路２３６）への電力供給を遮断する制御を実行する。
【００３７】
このとき、電力切替コントローラ１２では、蓄電デバイス３０の電力量が予め定めた電力量以上となっている場合、メインコントローラ２００への商用電源１４からの電力の供給も遮断する。この電力遮断は、メインコントローラ２００から電力切替コントローラ１２を介して、トライアック２２の通電を遮断することにより実現される。このため、メインコントローラ２００は、そのほとんどの機能を失うことになる。
【００３８】
但し、メインコントローラ２００の一部において、ジョブ受付等の起動信号を受けて機能を復帰させるＩＣチップ(例えば、ブートＲＯＭ）のみに電力を供給する必要があるため、電力切替コントローラ１２から蓄電デバイス３０に蓄積された電力を供給する。この電力は、例えば、１Ｗ〜１．５Ｗ程度である。
【００３９】
この状態の画像処理装置１０は、商用電源１４からの電力を一切受けていないため、消費電力が０の状態（「スリープ０」状態）である。
【００４０】
この状態で、例えば、リモートジョブを受け付けた場合（すなわち、ネットワーク通信回線網からプリント指示等を受け付けた場合）、メインコントローラ２００では、起動プログラムによって起動する。この起動は、電力切替コントローラ１２がトライアック２２に対して通電することにより実現される。
【００４１】
商用電源１４からの電力の供給が復帰すると、メインコントローラ２００では、各画像処理デバイスに対して電力供給を制御して、受け付けたジョブを実行する。
【００４２】
ところで、第２のモードから第１のモードへの遷移動作のとき、すなわち、商用電源１４からの電力の供給を復帰させようとした場合、それまで、商用電源１４の電力が不要であったため、例えば、コンセント１８が電源プレート１６から抜け落ちている、或いは、意図的にコンセント１８を抜いたまま忘れている、等の状況の下では、商用電源１４からの電力の供給ができない。そこで、本実施の形態では、電力切替コントローラ１２において、第２のモードから第１のモードへの遷移動作後、正常であれば、商用電源１４の電圧がＬＶＰＳ１、ＬＶＰＳ２の一次側に入力され、二次側に必要な電圧値（例えば、５Ｖ）が出力されることに着目し、当該電力切替コントローラ１２で、ＬＶＰＳ１、ＬＶＰＳ２の二次側の出力電圧を監視するようにした。
【００４３】
この監視により、正常な電圧が検出されない場合、異常報知を行って、ユーザーにコンセント抜け等の不具合が生じていないか、並びに、当該不具合の解消を促す。
【００４４】
図４は、電力切替コントローラ１２における、商用電源監視制御のための機能ブロック図である。
【００４５】
第２のモード移行情報受付部７０はモード遷移制御部７２に接続され、第２のモード移行情報受付部７０から第２のモード移行情報が入力されると、メインコトローラ２００に代わり、第２のモードでの電源管理制御が起動する。
【００４６】
また、モード遷移制御部７２には、節電ボタンの操作信号受付部７４、ジョブ受付情報受付部７６が接続され、節電ボタンの操作信号受付部７４から節電復帰指示、ジョブ受付情報受付部７６からジョブ受付情報が入力されると、第２のモードから第１モードへの遷移制御が実行される。この遷移が完了すると、モード遷移制御部７２からメインコントローラ２００へ第１のモードへの遷移完了通知を出力する。
【００４７】
このモード遷移制御部７２には、二次電圧判定部７８が接続されており、ＬＶＰＳ１、ＬＶＰＳ２の電圧が正常電圧（約５Ｖ）か否かを判定し、異常があった場合は、異常処理部８０へ異常信号を出力する。異常処理部８０は、ユーザーに異常を報知するデバイスを備えている。例えば、表示部、スピーカ、メール通知機能、プリントドライバへの通知機能等である。
【００４８】
以下、本実施の形態の作用を説明する。
【００４９】
図５及び図６は、電力供給制御の流れを示すフローチャートである。
【００５０】
図５は、メインコントローラ２００における電力供給制御であり、ステップ１００では、ジョブを受け付けたか否かが判断され、肯定判定されると、ステップ１０２へ移行して、ジョブの実行処理を行い、このルーチンは終了する。
【００５１】
また、ステップ１００で否定判定されると、ステップ１０４へ移行して所定時間が経過したか否かが判断される。このステップ１０４で否定判定されると、ステップ１０６へ移行して、節電ボタン２１９が操作されたか否かが判断される。また、このステップ１０６で否定判定されると、このルーチンは終了する。
【００５２】
前記ステップ１０４で肯定判定されると、ステップ１１０へ移行して、画像処理デバイスをスリープモードへ遷移させ、次いでステップ１１２へ移行して、蓄電デバイス３０の電力用を読み出し、ステップ１１４へ移行する。ステップ１１４では、商用電源１４を遮断しても充分な電力量が蓄積されているか否か（商用電源遮断ＯＫか否か）が判断され、肯定判定されると、ステップ１１６へ移行して第２のモードへ遷移させる。第２のモードは、蓄電デバイス３０から電力が供給されるモードである。
【００５３】
次のステップ１１８では、電力切替コントローラ１２へ制御主体を移行して、このルーチンは終了する。また、ステップ１１４で否定判定、すなわち、商用電源１４を遮断できないと判断（蓄積デバイス３０の電力量が不十分と判断）された場合は、メインコントローラ２００には、商用電源１４から電力を供給し、このルーチンは終了する。なお、このフローチャートでは、記載しないが、例えば、商用電源１４又はソーラパネル３４からの充電が進み、蓄電デバイス３０が充分な電力量となった時点で、第２のモードへ遷移させるようにしてもよい。
【００５４】
前記ステップ１０６で肯定判定された場合、すなわち、節電ボタン２１９が操作された場合は、ステップ１０４で肯定判定（所定時間が経過したとき）と同じ制御であり、ステップ１１０へ移行して、上記工程を実行する。
【００５５】
次に、図６は、電力切替コントローラ２００における電力供給制御であり、ステップ１５２では、節電ボタン２１９が操作されたか否かが判断され、否定判定された場合は、ステップ１５４へ移行して、メインコントローラ２００からジョブ受付情報があったか否かが判断される。このステップ１５４で否定判定された場合は、ステップ１５２へ戻り、ステップ１５２、１５４の何れかで肯定判定されるまで繰り返す。
【００５６】
ステップ１５２又はステップ１５４で肯定判定されると、ステップ１５６へ移行して、第１のモードへ遷移させる。この第１のモードは、商用電源１４から電力が供給されるモードであり、具体的には、トライアック２２をオンさせる動作である。
【００５７】
次のステップ１５８では、メインコントローラ２００が制御可能な状態に立ち上がったか否かが判断される。この「制御可能な状態に立ち上がる」とは、ＬＶＰＳ１、ＬＶＰＳ２の一次側に商用電源１４の電力が供給され、二次側から正常電圧（例えば、５Ｖ）が出力されたか否かが判断される。
【００５８】
このステップ１５８で肯定判定された場合はステップ１６６へ移行する。また、ステップ１５８で否定判定、すなわち、正常に立ち上がらない場合は、ステップ１６０へ移行して、異常報知を開始する。異常報知の具体例は以下のものが挙げられる。
（異常報知１）  メッセージ（『コンセントが抜けている可能性があります。確認してください。』）
（異常報知２）  警告音及び警告ランプの少なくとも一方
（異常報知３）  通知（例えば、メール送信、プリンタドライバへ通知）
ユーザーは上記異常報知を認識し、例えば、コンセントが抜けていれば、差し込み直す。
【００５９】
ステップ１６２では、異常修復が完了したか否かが判断される。すなわち、前記ＬＶＰＳ１、ＬＶＰＳ２の二次側に正常電圧（例えば、５Ｖ）が出力された時点で、ステップ１６２が肯定判定され、ステップ１６４へ移行する。
【００６０】
ステップ１６４では、異常報知を終了し、次いでステップ１６６へ移行して、メインコントローラ２００へ制御主体を移行して、この電力切替コントローラ１２での電力供給制御を終了する。
（変形例）
なお、本実施の形態では、第２のモードから第１のモードへの遷移の際、ＬＶＰＳ１、ＬＶＰＳ２の二次側に正常電圧（例えば、５Ｖ）が出力されたか否かで判断するようにしたが、この場合、復帰要因（ジョブ受付、節電ボタン２１９の操作等）があってからの判定となる。
【００６１】
そこで、変形例では、この実施の形態と併用、或いは代わりとして、コンセント１４の抜けに特化して、メインスイッチ２０の下流側の電圧を監視している。
【００６２】
図７には、変形例に係る電力供給系を示すブロック図が示されている。なお、前記実施の形態（図３）と同一構成部分については、その構成の説明を省略する。
【００６３】
図７（Ａ）に示される如く、メインスイッチ２０とトライアック２２との間には、電圧検出回路５０が設けられている。電圧検出回路５０の検出信号線５２は、電力切替コントローラ１２に接続されている。
【００６４】
図７（Ｂ）に示される如く、電圧検出回路５０は、本来の電源線である２本のライン５４、５６のそれぞれに分岐線５４、５６が接続され、当該分岐線５４、５６間に抵抗５８が介在され、この抵抗５８の両端が電圧センサ６０によって検出されるようになっている。この電圧センサ６０の出力線が前記検出信号線５２として、電力切替コントローラ１２に接続されている。
【００６５】
以下に、図８のフローチャートに従い、変形例に係る電力切替コントローラ１２における電力供給制御ルーチンを説明する。なお、図６と同様の制御については、同一の符号の末尾に”Ａ”を付す。
【００６６】
ステップ１５２Ａでは、節電ボタン２１９が操作されたか否かが判断され、否定判定された場合は、ステップ１５４Ａへ移行して、メインコントローラ２００からジョブ受付情報があったか否かが判断される。このステップ１５４Ａで否定判定された場合は、ステップ１５９へ移行する。
【００６７】
ステップ１５２Ａ又はステップ１５４Ａで肯定判定されると、ステップ１５６Ａへ移行して、第１のモードへ遷移させる。この第１のモードは、商用電源１４から電力が供給されるモードであり、具体的には、トライアック２２をオンさせる動作である。
【００６８】
次のステップ１６６Ａでは、メインコントローラ２００へ制御主体を移行して、この電力切替コントローラ１２での電力供給制御を終了する。
【００６９】
前記ステップ１５９では、電圧検出回路５０から電圧を検出し、ステップ１５８Ａへ移行する。
【００７０】
次のステップ１５８Ａでは、電圧検出回路５０からの電圧が正常電圧か否かが判断される。
【００７１】
このステップ１５８Ａで否定判定、すなわち、正常に立ち上がらない場合は、ステップ１６０Ａへ移行して、異常処理部８０において、異常報知を開始する。異常報知の具体例は以下のものが挙げられる。
（異常報知１）  メッセージ（『コンセントが抜けている可能性があります。確認してください。』）
（異常報知２）  警告音及び警告ランプの少なくとも一方
（異常報知３）  通知（例えば、メール送信、プリンタドライバへ通知）
ユーザーは上記異常報知を認識し、例えば、コンセントが抜けていれば、差し込み直す。
【００７２】
ステップ１６２Ａでは、異常修復が完了したか否かが判断される。このステップ１６２Ａで肯定判定されると、ステップ１６４Ａへ移行し、異常報知を終了して、ステップ１５２Ａに戻る。
【符号の説明】
【００７３】
１０    画像処理装置
Ｗ    壁面
１４    商用電源
１６    配線プレート
１８    コンセント
２０    主電源スイッチ
２２    トライアック
２４    高電圧供給部
２６    第１の低電圧供給部
２８    第２の低電圧供給部
３０    蓄電デバイス
３２    内部電池
３４    ソーラパネル
７０    モード移行情報受付部
７２    モード遷移制御部
７４    節電ボタンの操作信号受付部
７６    ジョブ受付情報受付部
７８    二次電圧判定部
８０    異常処理部
２００    メインコントローラ
２０４    ＣＰＵ
２０６    ＲＡＭ
２０８    ＲＯＭ
２１０    Ｉ／Ｏ（入出力部）
２１２    バス
２１４    ＵＩ制御回路
２１６    ＵＩタッチパネル
２１８    ハードディスク
２１９    節電ボタン
２２０    タイマ回路
２２２    通信回線Ｉ／Ｆ
２３４    デバイス選択Ｉ／Ｆ
２３６    ファクシミリ通信制御回路
２３８    画像読取部
２４０    画像形成部
【図１】
2011205787.tif 000003
【図２】
2011205787.tif 000004
【図３】
2011205787.tif 000005
【図４】
2011205787.tif 000006
【図５】
2011205787.tif 000007
【図６】
2011205787.tif 000008
【図７】
2011205787.tif 000009
【図８】
2011205787.tif 000010